(57)【要約】【課題】健康管理システムにおいて適切な個人情報保護を行う。【解決手段】ＩＣタグを含み、個人情報及び生体認証データを格納するＩＣ顧客カード・サービス提供者ＩＣカードと、ＩＣタグリーダ、ＩＣカードリーダ及び生体認証装置を備えたＩＣカード端末と、それを周辺機器として接続するパーソナルコンピュータとからなり、サービス提供を必要とする際に、顧客の生体認証処理と、サービス提供者の生体認証処理とを実行し、これらがいずれも肯定結果であることを条件に、個人情報を開示する。【選択図】  図１
0003150066.tif 000002
【実用新案登録請求の範囲】
【請求項１】
顧客の健康及び生活習慣に関するデータを受け取ってそれを解析した結果を該顧客に返す健康管理システムであって、
前記顧客が携帯端末で入力するのを受け取る受信手段と、
該通信手段にて前記顧客が入力したデータを蓄積するデータベースと、
該データベースに蓄積されたデータが所定の長さの期間に達したときに解析して健康と生活習慣との間の規則性を見出す解析手段と、
該解析手段の解析結果を前記顧客に返す送信手段と、
前記顧客がデータ入力して送るのを支援する情報を含むＩＣタグと、
該ＩＣタグに格納された情報を読み取るＩＣタグリーダと、
該ＩＣタグリーダの読み取った情報に基づいて前記顧客が情報を送信するのに用いる携帯端末と
からなり、
前記顧客は携帯端末を用いて前記ＩＣタグに格納された情報を読み取り、それに基づいて自己の健康及び生活習慣に関するデータを送信することを特徴とする健康管理システム。
【請求項２】
請求項１に記載した健康管理システムであって、
前記ＩＣタグは診察カードに付着しており、前記顧客は診察を受ける患者であって、医業に関するシステムと連携させて用いることを特徴とする健康管理システム。
【請求項３】
請求項１に記載した健康管理システムであって、
前記ＩＣタグは、スポーツジムの会員証に付着しており、前記顧客はスポーツジム利用者であり、スポーツジムの運動に関するシステムと連携させて用いることを特徴とする健康管理システム。
【請求項４】
顧客の健康及び生活習慣に関するデータを受け取ってそれを解析した結果を該顧客に返す健康管理システムであって、
前記顧客が携帯端末で入力するのを受け取る受信手段と、
該通信手段にて前記顧客が入力したデータを蓄積するデータベースと、
該データベースに蓄積されたデータが所定の長さの期間に達したときに解析して健康と生活習慣との間の規則性を見出す解析手段と、
該解析手段の解析結果を前記顧客に返す送信手段と、
ＩＣタグを含み、前記顧客の個人情報及び生体認証データを格納するＩＣ顧客カードと、
ＩＣタグを含み、前記健康管理システムの運用に携わるサービス提供者の個人情報及び生体認証データを格納するサービス提供者ＩＣカードと、
前記ＩＣタグを読み取るＩＣタグリーダ、前記ＩＣ顧客カード・サービス提供者ＩＣカードを読み取るＩＣカードリーダ及び生体認証装置を備えたＩＣカード端末と、
前記ＩＣカード端末を周辺機器として接続する前記サービス提供者用パーソナルコンピュータと
からなり、
サービス提供を必要とする際に、前記ＩＣ顧客カードを所持する顧客の生体認証処理と、前記サービス提供者ＩＣカードを所持するサービス提供者の生体認証処理とを実行し、これら二種類の生体認証処理がいずれも肯定結果であることを条件に、サービス提供者に対してサービスを受ける顧客の個人情報を開示することを特徴とする健康管理システム。
【請求項５】
請求項４に記載した健康管理システムであって、
前記サービス提供者は医師であり、前記顧客は患者であり、医業に関するシステムと連携させて用いることを特徴とする健康管理システム。
【請求項６】
請求項５に記載した健康管理システムであって、
前記ＩＣ顧客カードは、ＩＣ診察カードであることを特徴とする健康管理システム。
【請求項７】
請求項４に記載した健康管理システムであって、
前記サービス提供者はスポーツトレーナであり、前記顧客はスポーツジム利用者であり、スポーツジムの運動に関するシステムと連携させて用いることを特徴とする健康管理システム。
【考案の詳細な説明】
【技術分野】
【０００１】
本考案は、個人情報のやりとりを顧客又は患者本人の意思に基づいて実現する健康管理システムに関する。
【背景技術】
【０００２】
特許文献１には、携帯端末を用いた健康管理のためのシステム及び方法が開示されている。無線通信手段から特定の信号が送信されたときに、緊急対応として、医療機関との通信、及び医療情報記憶手段に格納された情報のうち利用者に必要な情報を利用者端末に提供するものである。
【０００３】
特許文献２には、携帯端末を用いた健康管理のためのシステム及び方法が開示されている。データベースにおいて、利用者端末、医療機関端末、販売店端末のそれぞれに対して、個人データ及び医療データの項目ごとにアクセス権を設定する。
【０００４】
特許文献３には、高血圧予防支援・高血圧治療支援システムが開示されている。高血圧予防・治療に関するデータベースをサーバに備え、個人端末装置と医療機関端末装置と健康サービス業者端末装置と、これらを接続する情報通信ネットワークとを備えてなる。
【０００５】
特許文献４には、ヘルスケアシステムおよび情報収集方法が開示されている。歩数計付きＩＣタグが測定情報を取り込んで、管理装置がその測定情報を受信して記憶し、個人の健康管理のための情報を生成出力するものである。ＩＣタグはＩＤを変更しながら電波を発信する。
【０００６】
特許文献５には、個人認証兼健康管理システムが開示されている。生体認証のために取得した生体情報を健康管理情報としても処理するものである。
【０００７】
特許文献６には、日々変化する健康状態・医学上のデータであるトレンドデータを医療機関や患者の間で共有する健康管理・医療システムが開示されている。
【０００８】
特許文献７には、健康コンサルティングシステムが開示されている。氏名などの個人情報と遺伝情報・健康診断情報などの機微情報とを別のデータベースに格納して管理する。
【０００９】
特許文献８には、個人にふさわしい運動メニューを提供する健康管理システムが開示されている。
【００１０】
特許文献９には、ダイエット、運動、食事の健康管理をするシステムが開示されている。
【００１１】
特許文献１０には、距離型ファジー推論法に基づいて、症状及び所見から健康状態をチェック・助言し、現在の健康状態、家族の遺伝的情報と生活習慣から将来の疾病リスクを予測する在宅健康管理システムが開示されている。
【００１２】
特許文献１１には、利用者の健康管理に対する意欲減退を防止し、生活習慣の改善に有効に機能する健康管理支援システムが開示されている。
【００１３】
特許文献１２には、健康データ項目と生活データ項目からなる時系列の個人健康情報において、健康データの変化もしくは変化率と、生活データの加算値もしくは平均値もしくはそれから派生する値もしくは生活データのパターンとの時系列相関を見ることにより健康データ項目と生活データ項目間の相関ルールを自動抽出し、相関ルールの確信度が一定の条件を満たしたときに相関ルールをシステムのデータベースに格納し、システムの利用者に自動配信もしくはシステムの利用者の要求に応じて配信する健康情報管理システムが開示されている。
【００１４】
特許文献１３には、個人健康管理情報の抽出方法が開示されている。生活データ項目の任意の期間におけるデータの加算値もしくは平均値もしくはそれから派生する値を入力変数とし、健康データ項目のデータ値もしくはデータの変化もしくは変化率をターゲット変数として決定木を生成するものである。そしてその決定木をもとに健康データ項目と生活データ項目の間の相関ルールを抽出する。
【００１５】
特許文献１４には、システム利用者が自己の関心事に基づき固有のデータ項目として例えば、ストレス、気圧を入力し、それと自己の健康データとの相関関係を解析して自己の健康管理に役立てる個人健康管理システムが開示されている。
【００１６】
特許文献１５には、健康データ項目と生活データ項目からなる時系列の個人健康情報を基に個人健康管理情報を抽出するシステムであって、生活データ項目の一つである食事による摂取カロリーは携帯端末により食事内容を撮影し、その映像データから算出する個人健康管理システムが開示されている。
【００１７】
特許文献１６には、食事内容を撮影した映像に基づいて食事摂取情報を得て健康情報を時系列データ解析する個人健康増進支援方法およびそのシステムが開示されている。
【００１８】
特許文献１７には、満足度の高い健康管理情報をタイミングよく自動生成して提示する個人健康管理システムが開示されている。健康データ項目と生活データ項目との相関ルールの精度にかかわる変数の閾値を可変設定できるようにすることによりシステムをチューニングする。
【００１９】
特許文献１８には、健康データ項目と生活データ項目との相関ルールを一定の期間ごとに自動更新する個人健康管理システムが開示されている。
【００２０】
特許文献１９には、システム利用者の生体情報をインターネット経由で健康管理サーバに送信する前に、同意を得る個人健康管理システムが開示されている。
【００２１】
特許文献２０には、携帯電話キャリア間の互換性の問題を解決すべく、サーバ側で携帯電話の表示画面サイズに合わせてグラフ画像を描画し、それを画像ファイルとして携帯電話に送信して表示させる携帯画像情報システムが開示されている。
【００２２】
特許文献２１には、利用者の所属する団体を識別する手段を有する個人健康管理システムが開示されている。
【００２３】
特許文献２２には、ＴＶ受信手段を備えた携帯端末に対しワンセグ放送を配信自在の放送手段と、インターネット及び携帯電話公衆回線網を介して前記携帯端末と通信自在に接続される専用端末とを備えた携帯端末用放送通信システムであって、前記放送手段は、１乃至複数のカメラ映像及び再生映像を受信し、外部操作によって配信映像を切り替えると共に、前記専用端末から受信した切り替え信号に基づき、配信映像を所定時間切替える映像切替手段と、前記映像切替手段で切替えた映像を前記携帯端末に対し放送配信する放送配信手段とを備え、前記専用端末は、前記携帯端末に対し、カメラ映像の切替えを選択するためのカメラ選択情報を送信するカメラ選択情報送信手段と、前記カメラ選択情報の中から選択されたカメラ選択済み情報を前記携帯端末から受信するカメラ選択済み情報受信手段と、受信した前記選択済み情報に基づき、前記映像切替手段に切替信号を発信する切替信号発信手段とを備えたことを特徴とする携帯端末用放送通信システムが開示されている。
【００２４】
非特許文献１には、個人健康管理システムのための自動相関ルール抽出アルゴリズムが開示されている。携帯電話とＷｅｂテクノロジーを活用した個人健康管理システム上に時系列的に蓄積された生活習慣と健康状態に関する日常のデータからシステムユーザ個人にとって有用な生活習慣と健康状態の関係を抽出する。解析結果をユーザの携帯電話に返す。データマイニングの結果、生活習慣と日常の血圧との間に有用な関係を見出した。
【００２５】
非特許文献２には、携帯電話を活用した個人健康管理システムが開示されている。医療情報学（医療機関における診療録、フィルムなどのデータに基づいていかに病気の診断・治療支援をするかを扱う学問）と健康情報学（生活環境における日常の健康データに基づいていかに健康を維持・増進するかを扱う学問）との関係に着目し、健康情報学を原点とし、健康と病気の間のデータ推移を対象とし、どのように病気になり治癒するかを獲得しようとする。そのために日常のデータの蓄積からデータマイニングの手法により、健康データ生活データの項目間相関ルールを見出すべく、携帯電話による入力に基づいてサーバによるデータベース構築、解析を実行する。
【００２６】
非特許文献３には、個人健康管理システムに基づく健康データと生活データの相関解析（１）が開示されている。個人健康管理システムを４ヶ月間運用して解析した結果が報告されている。この個人健康管理システムは、携帯電話をＷｅｂクライアントとし、インターネットを介して二台のサーバコンピュータとクライアントマシンとで構成される。サーバ２台のうち１台はファイアウォールとＤＮＳの役割を持つ。もう一台のサーバはＷｅｂサーバ、データベースサーバ、メールサーバとして機能する。クライアントマシンはデータ解析のためのＤＢクライアントでデータマイニングツールをインストールして用いる。携帯電話からの入力を支援すべく、メールサーバから定期的にサポートメールを送信し、それに答える形での入力を可能にしている。生活データを入力変数とし、健康データ（例えば血圧）をターゲット変数とする。眠りの深さを三段階とし睡眠時間を眠りの深さの平方根で割った値を実効睡眠時間としたことで睡眠時間と最小血圧との相関係数が３倍程度上昇した。
【００２７】
非特許文献４には、インターネット上で動く自動健康データマイニングシステムについて開示されている。携帯電話をＷｅｂクライアントとし、インターネットを介して３台のサーバコンピュータを用いる。１台目のサーバはファイアウォールとＤＮＳ。２台目のサーバはＷｅｂサーバ、データベースサーバ、メールサーバとして機能し、３台目がデータマイニングを自動実行する。生活習慣の影響を受けて健康状態が決定されるとの仮定から規則性を見出すべくイフゼンルール（ＩＴＲＵＬＥ）アルゴリズムを用いる。一日前の酒量が多い、かつ２日前から３日間の総消費カロリーが６０８キロカロリーより大きいならば体脂肪率が低い傾向にある、などのルールが自動生成された。
【００２８】
非特許文献５には、個人健康管理システムに基づく健康データと生活習慣データの相関ルール解析（２）−時系列データ解析−が記載されている。システムのユーザは事故の携帯電話から体重、体脂肪率、血圧など関心のある健康データ項目と、運動、栄養、飲酒量など生活習慣データ項目を登録し、生活環境における日常のデータを入力する。インターネット経由で時系列的にデータベースに蓄積されたデータは、定期的に自動相関ルール抽出プログラム（健康データマイニング）により解析され、結果がユーザの携帯電話に返される。大豆たんぱく質の摂取は、体脂肪率を低下させ、基礎代謝を上昇させるが、２週間程度の足の長い継続的摂取の効果が大きく、４日程度の遅れをもってゆっくりと効果が現れる。
【００２９】
非特許文献６には、ある糖尿病患者における生活習慣、血糖値、およびＨｂＡ１ｃ値の時系列データ解析（１）が開示されている。個人健康管理システムで開発した生活習慣データと健康データ間の時系列データ解析手法を用いて、糖尿病患者の日々の食生活を中心とする生活習慣が食前血糖値やグリコヘモグロビン（ＨｂＡ１ｃ）値に与える影響について解析を行った。ある糖尿病患者さんについての解析結果ではあるが、常習的な適度のアルコール摂取がＨｂＡ１ｃ値を下げるという結果が見られた。
【先行技術文献】
【特許文献】
【００３０】
【特許文献１】特開２００２−１６９８９５号公報
【特許文献２】特開２００２−１６９８９６号公報
【特許文献３】特開２００４−０４６６１３号公報
【特許文献４】特開２００６−１２７１６１号公報
【特許文献５】特開２００７−２０２８６９号公報
【特許文献６】特開２００８−１１２３２５号公報
【特許文献７】特開２００８−１１７３６５号公報
【特許文献８】特開２００８−１３２２５８号公報
【特許文献９】特開２００８−１８１３１７号公報
【特許文献１０】特開２００８−１８６４３９号公報
【特許文献１１】特開２００８−２２５５８５号公報
【特許文献１２】特開２００６−１１０２７８号公報
【特許文献１３】特開２００６−１１３９９１号公報
【特許文献１４】特開２００６−１３４２８３号公報
【特許文献１５】特開２００６−１５５０１０号公報
【特許文献１６】特開２００６−２４４０１８号公報
【特許文献１７】特開２００６−２４４０１９号公報
【特許文献１８】特開２００６−２５９７９１号公報
【特許文献１９】特開２００７−１８８３６３号公報
【特許文献２０】特開２００７−１８８３６４号公報
【特許文献２１】特開２００７−１８８３６５号公報
【特許文献２２】特許第４２１０２９５号公報
【非特許文献】
【００３１】
【非特許文献１】竹内裕之，児玉直樹，橋口猛志，林同文著  「個人健康管理システムのための自動相関ルール抽出アルゴリズム」日本データベース学会Letters Vol.5, No.1 pp25-28 ２００６年６月
【非特許文献２】竹内裕之，橋口猛志，新谷隆彦著  「携帯電話を活用した個人健康管理システム」  高崎健康福祉大学紀要  第３号  １−８頁  ２００４年
【非特許文献３】竹内裕之，橋口猛志，新谷隆彦，三井教寛著  「個人健康管理システムに基づく健康データと生活データの相関解析（１）」  高崎健康福祉大学紀要  第４号  １１−２１頁  ２００５年
【非特許文献４】竹内裕之，池田裕香里，児玉直樹著  「インターネット上で動く自動健康データマイニングシステム」高崎健康福祉大学紀要  第５号  １−１１頁  ２００６年
【非特許文献５】竹内裕之，児玉直樹，橋口猛志，林同文著  「個人健康管理システムに基づく健康データと生活習慣データの相関ルール解析（２）」高崎健康福祉大学紀要  第６号  １−９頁  ２００７年
【非特許文献６】竹内裕之，石川昌宏，児玉直樹著  「ある糖尿病患者における生活習慣、血糖値、およびHbA1c値の時系列データ解析（１）」高崎健康福祉大学紀要  第７号  １−１１頁  ２００８年
【考案の概要】
【考案が解決しようとする課題】
【００３２】
この種の健康管理システムでは、長期にわたってこつこつとデータ入力を続ける必要がある。そのためには顧客自身の強い意志に基づいて運用される必要がある。
【００３３】
また、入力を続けた結果、解析に基づいてシステムから顧客が助言を得る際に、単に機械からコメントを返されるよりは、医師又はトレーナーから助言を受けるほうが信頼性が増す。機械だけでのやりとりでは、ひょっとしたら他人のデータと取り違えられたりしていないかという不安の生じる可能性があるが、人間が積極的に関与していることを示すことで不安を取り除けると考えられる。
【００３４】
さらに、病気になる前の日常的なデータ管理と医療との連携、スポーツジムなどでの毎日の運動との連携もなされるのが望ましい。
【００３５】
本考案の考案者は、ＩＣタグの利用、生体認証による本人確認がこの種の健康管理システムの運用には適切であると気づいた。
【００３６】
本考案の目的は、健康管理システムに適切な個人情報の保護を可能にするシステムを提供することにある。
【課題を解決するための手段】
【００３７】
上記課題を解決するために、請求項１に記載した考案は、顧客の健康及び生活習慣に関するデータを受け取ってそれを解析した結果を該顧客に返す健康管理システムであって、前記顧客が携帯端末で入力するのを受け取る受信手段と、該通信手段にて前記顧客が入力したデータを蓄積するデータベースと、該データベースに蓄積されたデータが所定の長さの期間に達したときに解析して健康と生活習慣との間の規則性を見出す解析手段と、該解析手段の解析結果を前記顧客に返す送信手段と、前記顧客がデータ入力して送るのを支援する情報を含むＩＣタグと、該ＩＣタグに格納された情報を読み取るＩＣタグリーダと、該ＩＣタグリーダの読み取った情報に基づいて前記顧客が情報を送信するのに用いる携帯端末とからなり、前記顧客は携帯端末を用いて前記ＩＣタグに格納された情報を読み取り、それに基づいて自己の健康及び生活習慣に関するデータを送信することを特徴とするものである。
【００３８】
請求項２に記載した考案は、請求項１に記載した健康管理システムであって、前記ＩＣタグは診察カードに付着しており、前記顧客は診察を受ける患者であって、医業に関するシステムと連携させて用いることを特徴とするものである。
【００３９】
請求項３に記載した考案は、請求項１に記載した健康管理システムであって、前記ＩＣタグは、スポーツジムの会員証に付着しており、前記顧客はスポーツジム利用者であり、スポーツジムの運動に関するシステムと連携させて用いることを特徴とするものである。
【００４０】
請求項４に記載した考案は、顧客の健康及び生活習慣に関するデータを受け取ってそれを解析した結果を該顧客に返す健康管理システムであって、前記顧客が携帯端末で入力するのを受け取る受信手段と、該通信手段にて前記顧客が入力したデータを蓄積するデータベースと、該データベースに蓄積されたデータが所定の長さの期間に達したときに解析して健康と生活習慣との間の規則性を見出す解析手段と、該解析手段の解析結果を前記顧客に返す送信手段と、ＩＣタグを含み、前記顧客の個人情報及び生体認証データを格納するＩＣ顧客カードと、ＩＣタグを含み、前記健康管理システムの運用に携わるサービス提供者の個人情報及び生体認証データを格納するサービス提供者ＩＣカードと、前記ＩＣタグを読み取るＩＣタグリーダ、前記ＩＣ顧客カード・サービス提供者ＩＣカードを読み取るＩＣカードリーダ及び生体認証装置を備えたＩＣカード端末と、前記ＩＣカード端末を周辺機器として接続する前記サービス提供者用パーソナルコンピュータとからなり、サービス提供を必要とする際に、前記ＩＣ顧客カードを所持する顧客の生体認証処理と、前記サービス提供者ＩＣカードを所持するサービス提供者の生体認証処理とを実行し、これら二種類の生体認証処理がいずれも肯定結果であることを条件に、サービス提供者に対してサービスを受ける顧客の個人情報を開示することを特徴とするものである。
【００４１】
請求項５に記載した考案は、請求項４に記載した健康管理システムであって、前記サービス提供者は医師であり、前記顧客は患者であり、医業に関するシステムと連携させて用いることを特徴とするものである。
【００４２】
請求項６に記載した考案は、請求項５に記載した健康管理システムであって、前記ＩＣ顧客カードは、ＩＣ診察カードであることを特徴とするものである。
【００４３】
請求項７に記載した考案は、請求項４に記載した健康管理システムであって、前記サービス提供者はスポーツトレーナであり、前記顧客はスポーツジム利用者であり、スポーツジムの運動に関するシステムと連携させて用いることを特徴とするものである。
【考案の効果】
【００４４】
本考案の健康管理システムによれば、顧客の側もシステム運用者の側も安心して取引ができる本人認証が可能となる。
【００４５】
特に、医業、診察行為において適用する場合には、患者の取り違え、医者の取り違えを防止でき、患者と医者との間の信頼関係を構築することが可能となる。
【図面の簡単な説明】
【００４６】
【図１】健康管理システム全体のハードウエア構成を示す概念図であるである。
【図２】（ａ）携帯電話機の機能のうち本発明にかかる部分のみを描いた機能ブロック図である。（ｂ）コンピュータの機能のうち本発明にかかる部分のみを描いた機能ブロック図である。（ｃ）サーバコンピュータの機能のうち本発明にかかる部分のみを描いた機能ブロック図である。（ｄ）ＩＣタグ読取部の機能のうち本発明にかかる部分のみを描いた機能ブロック図である。
【図３】健康管理システムに関して機器の操作手順にしたがって処理の順序及び内容を記載したブロック図である。
【図４】ＩＣタグ読取部の外観を示す図である。
【図５】健康管理システムのうちの本人認証に用いる機器構成を示す斜視図である。
【図６】健康管理システムのうちの本人認証に用いる機器構成を示すブロック図である。
【図７】健康管理システムと地域医療連携システムとの関連を示す概念図である。
【図８】健康管理システムのうちの本人認証に用いる機器構成の他の実施例を示す斜視図である
【考案を実施するための形態】
【００４７】
以下、本考案を適用した実施形態について説明する。
携帯電話機使用者は、携帯電話機とは独立した筐体に格納されたＩＣタグ読取部をＩＣタグに近接させて用いる。携帯電話機とＩＣタグ読取部との間はＢｌｕｅＴｏｏｔｈ（ブルートゥース：登録商標）を用いて通信し、ペアリングを実行する。ペアリングが実現している間は、携帯電話機の表示画面には、ＩＣタグ読取部のＭＡＣアドレスを表示するか、ＩＣタグ内データを読み取った内容を表示するかする。携帯電話機とＩＣタグ読取部との間の通信が何らかの理由により断たれた場合には、携帯電話機の表示画面には接続されていない旨を操作者に伝えるエラーメッセージ、例えば「未接続！ＩＣタグ読取部の電源を確認してください」などが表示されて注意を喚起する。
【００４８】
ＩＣタグ内データを読み取ってそれに必要な事項を付加した内容は、予め登録されたメールアドレスに自動的に送信される。このことにより遠隔地で即座に利用可能となる。また、ＩＣタグ内データをすべて携帯電話機の表示画面に表示したのでは、何度もスクロールしてはじめて全部見ることのできるほどの情報量であるから、内容を限定して表示する、一部を強調表示する、表示順を入れ替えるなど、操作者の所望により、表示内容に変更を加える。なお、請求項及び解決手段の項で、「手段」と表示したのは、携帯電話機またはサーバコンピュータのそれぞれのＣＰＵが必要なプログラムを読み込んでそれを実行することによって実現する手段のことであり、ソフトウェア（コンピュータプログラム）とハードウェア（電子回路）とが協働して実現するものである。
【００４９】
以下、図面を参照しつつ、実施形態について説明する。図１は、健康管理システム全体のハードウェア構成を示す概念図である。図１において、サーバコンピュータ７、コンピュータ１１、携帯電話機６は、通信回線網（インターネット）８、基地局９などの利用可能な通信設備を介してネットワークを実現しており、連携して働く。サーバコンピュータ７には、データベース１２が接続されており、コンピュータ１１又は携帯電話機６の操作者は、アクセス権限の認証手続を経てデータベース１２にアクセスし、必要なファイルを取り込んだり、情報を登録したりする。携帯電話機６は、好適には、病院内で使用が認められる微弱な電波を用いるＰＨＳ（Ｐｅｒｓｏｎａｌ  Ｈａｎｄｙｐｈｏｎｅ  Ｓｙｓｔｅｍ）（「ＰＨＳ」は株式会社ウィルコムの登録商標）である。特定の要件、事情などが満たされれば、他の携帯電話機を使える可能性もある。
【００５０】
図１のＩＣタグ読取部５，１０は、例えば１３．５６メガヘルツの周波数帯を用いて電波でＩＣタグ４（ＲＦＩＤタグ）とのやり取りをして、少なくともＩＣタグ４内の情報を読み込む機能をもつＩＣタグ読取部である。読み込み機能だけでなく、書き込み機能をも併せ持つものであってもよい。なお、「電波」という言葉を用いるが、厳密には電磁波であり近距離電波通信では電界よりも磁界の寄与が大きいと考えられ、磁気結合的または電磁結合的な要素が強いといえるかもしれないが、本明細書においては、便宜上「電波のやりとり」という説明のしかたを貫くこととする。
【００５１】
ＩＣタグ読取部５と携帯電話機６との間の通信、ＩＣタグ読取部１０とコンピュータ１１との間の通信は、ＢｌｕｅＴｏｏｔｈ（「ＢｌｕｅＴｏｏｔｈ」はアメリカ合衆国ワシントン州のブルートゥースエスアイジー社の登録商標である。）を用いる。他の周波数帯を用いる電波通信や、赤外線短距離通信（ＩｒＤＡ）などを用いる他の実施例も可能である。ＩＣタグ４とＩＣタグ読取部５との間でのやり取りが電波によるものであるから、それと干渉しない通信手段を選ぶ必要がある。
【００５２】
ＩＣタグ４は、健康関連のサービス提供の用に供する物２、ＩＣ診察カード３などに付着されている。ほかに医療機器、運動機器、リハビリテーション設備などに付着したものであってもよい。健康関連のサービス提供の用に供する物２に付着されたＩＣタグ４には、ＩＣタグ４の識別情報、サービスの識別情報、健康管理サーバに定期的に送るべき健康及び生活習慣に関する項目、健康関連サービスの詳細情報、サービス提供元の情報などが格納される。
【００５３】
ＩＣ診察カード３は、それ自体がＩＣカードであることからＩＣチップを内蔵しているが、それとは別に更にＩＣタグ４を設けたものである。ＩＣカードとしてのＩＣチップ内には当該患者の診察情報、カルテ情報などが格納されるのに対し、ＩＣタグ４には、ＩＣタグ４のタグ識別情報、ＩＣ診察カード３の識別情報、ＩＣ診察カード３保有者の保険番号などが格納される。
【００５４】
図２（ａ）は、携帯電話機６の機能のうち本発明にかかる部分のみを描いた機能ブロック図である。そして、図２（ｂ）は、コンピュータ１１の機能のうち、本発明にかかる部分のみを描いた機能ブロック図である。ペアリング実行手段２０は、コンピュータ内のペアリング実行手段４０と同様に、ＩＣタグ読取部５内のペアリング実行手段と協働して、携帯電話機６とＩＣタグ読取部５との間のペアリングを確立し、維持する手段である。携帯電話機６とＩＣタグ読取部との間のペアリングがＢｌｕｅＴｏｏｔｈ（「ＢｌｕｅＴｏｏｔｈ」はアメリカ合衆国ワシントン州のブルートゥースエスアイジー社の登録商標である。）により行われる場合には、当該規格に基づいて通信が実行されて、ペアリングが実現される。このペアリングが実現して接続が維持されている間は、あたかも携帯電話機６とＩＣタグ読取部５とが、ケーブルでつながった機器であるのと同様に機能する。コンピュータ１１とＩＣタグ読取部５とがペアリングを実現している状態も同様である。
【００５５】
携帯電話機６とコンピュータ１１とは、本発明にかかる機能に着目すると、同様の機能を有する。いずれもＩＣタグ読取部とのペアリングが実現している状態で、ＩＣタグリーダとして機能する。したがって、図２（ａ）と図２（ｂ）の機能ブロック図は、同様の構成を有する。以下、煩雑を避けるため、携帯電話機６について、説明する。
【００５６】
ＩＣタグ読み取り要求手段２１は、携帯電話機６とＩＣタグ読取部５との間のペアリングが実現できていることを前提にして、携帯電話機６の操作者がＩＣタグの読取要求をＩＣタグ読取部５に対して送信することを実行する手段である。
【００５７】
ＩＣタグ内データ受信手段２２は、携帯電話機６とＩＣタグ読取部５との間のペアリングが実現できているときに、ＩＣタグ読取部５から携帯電話機６に向けてＩＣタグ内データが送信されるのを受信する手段である。
【００５８】
ＩＣタグ内データ表示手段２６は、ＩＣタグ内データ受信手段が受信した内容を表示する手段である。定期的に表示内容を更新して、今まさにＩＣタグ読取部５のＩＣタグ内データ格納手段５２に格納されているデータが表示されるようにし、携帯電話機６とＩＣタグ読取部５との間のペアリングが断絶された際には、「未接続！ＩＣタグ読取部の電源を確認してください。」などのエラーメッセージを表示する。
【００５９】
サーバデータ要求手段２３は、ＩＣタグ内データ受信手段２２が受信した内容にＵＲＬ情報が存在するのに基づいて、サーバデータを要求する手段である。サーバデータ要求手段２３の働きにより、携帯電話機６は、通信回線網８などを介してサーバコンピュータ７にアクセスする。
【００６０】
サーバデータ受信手段２４は、サーバコンピュータ７が送ってきたデータを受信して、その内容をサーバデータ表示手段２５が表示する。
【００６１】
図２（ｃ）は、サーバコンピュータの機能のうち本発明にかかる部分のみを描いた機能ブロック図である。携帯電話機６またはコンピュータ１１からのデータ要求を受信するデータ要求受信手段３１、それを受けてデータを抽出するデータ抽出手段３２、抽出したデータを携帯電話機６またはコンピュータ１１に送り返す抽出データ送信手段３３、必要ならばウェブページの形態でデータを提供するＷｅｂページ提供手段３４とを有する。
【００６２】
図２（ｄ）は、ＩＣタグ読取部の機能のうち本発明にかかる部分のみを描いた機能ブロック図である。ＩＣタグ読取部５は、携帯電話機６またはコンピュータ１１とＢｌｕｅｔｏｏｔｈ（「Ｂｌｕｅｔｏｏｔｈ」はアメリカ合衆国ワシントン州の法人が所有する登録商標である。）によりペアリングを実現してＩＣタグリーダとして機能する。対携帯電話機アンテナ４９（コンピュータとのやりとりも可能である）、対ＩＣタグアンテナ５９と、二つのアンテナを有して二つの通信を実現する。いずれの通信も近距離の電波通信であるから、例えばループ状のアンテナが用いられる。
【００６３】
ペアリング実行手段５０は、携帯電話機６またはコンピュータ１１との間で近距離無線通信によるペアリングを実現して、あたかもケーブルにてつながれているかのようにＩＣタグ読取部５を機能させるものである。ＩＣタグ読取手段５３は、健康関連のサービス提供の用に供する物または診察カードに付着しているＩＣタグに格納されている情報を読み取る手段である。読み取られた内容はＩＣタグ内データ格納手段５２に格納される。
【実施例１】
【００６４】
以下、図３を参照しつつ、実施例１、すなわち健康管理システムに本発明を適用した場合について説明する。
【００６５】
図３は、健康管理システムに関して機器の操作手順にしたがってシステムの処理の順序及び内容を記載したブロック図である。図３の携帯電話機６の操作手順に「ＳＴＡＲＴ」とあるが、そこに至る以前に、携帯電話機６とＩＣタグ読取部５との間のペアリングは実現できているものとする。
【００６６】
携帯電話機６の操作者は、携帯電話機６を操作してＩＣタグ読取要求手段２１により、ＩＣタグ読取部５に対し、ＩＣタグ４の読取要求信号を送信する。前記操作者は、好適には、携帯電話機６を所持する者である。
【００６７】
ＩＣタグ読取部５は、読み取り要求信号を受信すると、健康関連サービスの提供の用に供する物２に設けられたＩＣタグ４に対し電波を発信する。ＩＣタグ４はＩＣタグ読取部５からの電波を受けると、パッシブタイプのタグの場合はそれにより電力を供給されて、必要な回路を働かせてＩＣタグ内データをＩＣタグ読取部５に向けて発信する。ＩＣタグ内データは、具体的には、ＩＣタグ４の識別番号、健康関連サービスの情報、健康関連サービスの提供の用に供する物２の情報が含まれるＷｅｂページ情報のＵＲＬ等である。ＩＣタグ読取部５は、ＩＣタグ４からＩＣタグ内データを受信すると、受け取ったＩＣタグ内データを携帯電話機６に送信する。
【００６８】
携帯電話機６は、ＩＣタグ内データ受信手段２２によって、ＩＣタグ読取部５からのＩＣタグ内データを受信すると、ＩＣタグ内データ表示手段２６によって、受信したＩＣタグ内データを表示する。
【００６９】
そして、携帯電話機６の操作者がさらなる詳細情報を必要としない場合は、処理を終了する。
【００７０】
携帯電話機６の操作者が詳細情報を必要とする場合は、サーバデータ要求送信手段２３によって、ＩＣタグ内データと関連するサーバデータを要求すべく、データ要求信号を通信回線網８を介しサーバコンピュータ７に対して送信する。
【００７１】
サーバコンピュータ７は、データ要求受信手段３１によって、データ要求信号を受信すると、データ抽出手段３２によって、データ要求信号に基づきサーバコンピュータ７に備えられたデータベース１２内のサーバデータを抽出する。
【００７２】
このとき、前記データ要求信号がＵＲＬであった場合は、Ｗｅｂページ提供手段３４によってあらかじめ生成されたＵＲＬに関連付けられたＷｅｂページ情報がデータベース１２から抽出される。Ｗｅｂページ情報内にＵＲＬに関連するサーバデータも組み込まれている。
【００７３】
また、前記データ要求信号が医科材料識別番号であった場合は、データ抽出手段３２によって、それらの番号に関連するサーバデータをデータベース１２から抽出し、Ｗｅｂページ提供手段３４によって、抽出したサーバデータを含むＷｅｂページ情報が生成される。
【００７４】
そして、抽出されたデータは、抽出データ送信手段３３によって携帯電話機６に送信される。
【００７５】
携帯電話機６は、サーバデータ受信手段２４によってサーバコンピュータ７からのデータを受信すると、サーバデータ表示手段２５によってそのデータを表示する。
【００７６】
なお、データがＷｅｂページ情報で受信された場合は、携帯電話機６内のサーバデータ表示手段２５が備えたブラウザ機能によってＷｅｂページを表示し、さらに、Ｗｅｂページ内にリンク機能が埋め込まれている場合は、リンク機能を作動させて、関連する他のＷｅｂページ情報を受信し、他のＷｅｂページを表示することも可能である。
また、特許文献２２に開示された携帯端末用放送通信システムを適用して、ワンセグ放送を利用した動画受信をして、例えばメタボレシピに関する動画を表示することもできる。
【００７７】
このようにして携帯電話機とＩＣタグ読取部とをペアリングさせたＩＣタグリーダを用いた健康管理システムによれば、健康管理、生活習慣などについて、ＩＣタグ４内に格納された情報よりもさらに詳細な情報を得ることができる。
【００７８】
また、ＩＣタグに記憶された情報がＵＲＬを含む場合、ＵＲＬによって、要求するデータが含まれるＷｅｂページを要求し、必要なデータを得ることができる。
【００７９】
さらに、ＩＣタグに記憶された情報が、健康商品の識別番号である場合、それによって、サーバデータを要求し、必要なデータを確実に得ることができる。
【００８０】
さらにまた、前記サーバコンピュータ７は、データベース１２内のデータをＷｅｂページによって提供するＷｅｂページ提供手段３４を備え、抽出データ送信手段３３は、Ｗｅｂページ提供手段３４が提供するＷｅｂページを送信するように構成されているので、インターネットを利用する簡易なシステムでデータを提供できるとともに、Ｗｅｂページによって見やすく表示できる。
【００８１】
そして、前記携帯電話機６は、受信したＩＣタグ内データを表示するＩＣタグ内データ表示手段２６を備えているので、ＩＣタグ内データを携帯電話機６の表示画面に表示して見て、内容を確認することができる。
【００８２】
また、前記携帯電話機６に備えられるＩＣタグ読取部５は、携帯電話機６にＢｌｕｅｔｏｏｔｈ（「Ｂｌｕｅｔｏｏｔｈ」はアメリカ合衆国ワシントン州の法人が所有する登録商標である。）で接続されるから、不要なときは使わずにしまっておける。
【００８３】
なお、抽出された前記サーバデータは、Ｗｅｂページ情報内に組み込まれることなく、たとえばメール送信されてもよい。
【００８４】
また、前記データ要求信号がＵＲＬである場合に、先に、このＵＲＬに関連付けられた入力用Ｗｅｂページ情報をサーバコンピュータ７から携帯電話機６に送信し、携帯電話機６上で、入力用Ｗｅｂページに識別番号を入力し、入力用Ｗｅｂページに入力された識別番号がサーバコンピュータ７に受信されたとき、サーバコンピュータ７は、Ｗｅｂページ提供手段３４によって識別番号と関連するサーバデータを組み込んだＷｅｂページ情報を生成するように構成してもよい。
【００８５】
さらに、前記データ要求信号が、識別番号である場合に、先に入力用Ｗｅｂページを要求し、入力用ＷｅｂページにＩＣタグ４の識別番号を入力して送信するようにしてもよい。
【００８６】
また、携帯電話機６とおよそ同様に、コンピュータ１１によっても、ＩＣタグ読取部５を介して、健康関連サービスの提供の用に供する物２に付着したＩＣタグ４内のＩＣタグデータを受信することが可能であり、ＩＣタグ内データによって、前記サーバコンピュータ７からのデータを受信することもできる。その作用効果は携帯電話機６の場合と様である。
【００８７】
さらにまた、ＩＣタグ４が付着されるのは、他の物品材料や、医療機器、リハビリテーションの設備、スポーツ設備などでもよい。
【実施例２】
【００８８】
以下、図３を参照しつつ、実施例２、すなわちＩＣ診察カードシステムに関して、本発明を適用した場合について説明する。
【００８９】
図３は、ＩＣ診察カードシステムに関して機器の操作手順にしたがって処理の順序及び内容を記載したブロック図である。携帯電話機６とＩＣタグ読取部５との間のＢｌｕｅｔｏｏｔｈ（「Ｂｌｕｅｔｏｏｔｈ」はアメリカ合衆国ワシントン州の法人が所有する登録商標である）によるペアリングが実現できていることを前提にして、携帯電話機６の操作者が携帯電話機６を操作して、ＩＣタグ読取要求手段２１により、ＩＣタグ読取部５に対し、ＩＣタグ４の読み取り要求信号を送信する（ステップＳ２１）。
【００９０】
ＩＣタグ読取部５は、読み取り要求信号を受信すると（あるいは、携帯電話機６との間のペアリングが実現すると自動的に）ＩＣ診察カード３に付着しているＩＣタグ４に対し電波を発信する（ステップＳ２２）。ＩＣタグ４は、ＩＣタグ読取部５からの電波を受信すると（ステップＳ２３）、ＩＣタグ内データを発信する（ステップＳ２４）。ＩＣタグ内データは、ＩＣタグ４の識別番号、診察カード保有者の保険番号、または診察カード保有者の診察情報が含まれるＷｅｂページ情報のＵＲＬ等である。
【００９１】
ＩＣタグ読取部５はＩＣタグ４からＩＣタグ内データを受け取ると（ステップＳ２５）、それを携帯電話機６に送信する（ステップＳ２６)。
【００９２】
携帯電話機６は、ＩＣタグ内データ受信手段２２によって、ＩＣタグ読取部５からのＩＣタグ内データを受信すると（ステップＳ２７）、サーバデータ要求送信手段２３によって、ＩＣタグ内データと関連するサーバデータを要求すべくデータ要求信号を通信回線網８を介しサーバコンピュータ７に対して送信する（ステップＳ２８）。
【００９３】
データ要求信号は、ＩＣタグ４の識別番号及び診察カード保有者の保険番号、または診察カード保有者の診察情報が含まれるＷｅｂページ情報のＵＲＬである。
【００９４】
前記サーバコンピュータ７は、データ要求受信手段３１によって、データ要求信号を受信すると（ステップＳ２９）、データ抽出手段３２によって、データ要求信号に基づきサーバコンピュータ７に備えられたデータベース１２内のデータを抽出する（ステップＳ３０）。
【００９５】
このとき、前記データ要求信号がＵＲＬであった場合は、Ｗｅｂページ提供手段３４によって予め生成されたＵＲＬに該当するＷｅｂページ情報が抽出される。
【００９６】
また、前記データ要求信号がＩＣ診察カード識別番号及び保険番号であった場合は、それらの番号に相当するサーバデータを抽出し、Ｗｅｂページ提供手段３４によってＷｅｂページ情報内に組み込まれる。
【００９７】
そして、抽出データ送信手段３３によって抽出したデータは携帯電話機６に送信される（ステップＳ３１）。
【００９８】
携帯電話機６は、サーバデータ受信手段２４によってサーバコンピュータ７からのデータを受信すると（ステップＳ３２）、サーバデータ表示手段２５によってその受け取ったデータを表示する（ステップＳ３３）。
【００９９】
なお、データがＷｅｂページ情報で受信された場合は、携帯電話機６内のブラウザ機能によってＷｅｂページを表示し、さらにＷｅｂページ内にリンク機能が埋め込まれている場合は、リンク機能を作動させて、関連する他のＷｅｂページ情報を再受信し、他のＷｅｂページを表示することも可能である。
また、特許文献２２に開示された携帯端末用放送通信システムを適用して、ワンセグ放送を利用した動画受信をして、例えば医学知識に関する動画を表示することもできる。
【０１００】
このようにして、この診察システムによれば、ＩＣタグに記憶された情報、あるいは診察カードに記憶された情報よりも更に詳細な患者の診察情報を得ることができる。
【０１０１】
なお、前記データ要求信号がＵＲＬである場合に、先に、このＵＲＬに関連付けられた入力用Ｗｅｂページ情報をサーバコンピュータ７から携帯電話機６に送信し、携帯電話機６上で、入力用Ｗｅｂページに識別番号及び保険番号を入力し、入力用Ｗｅｂページに入力された識別番号及び保険番号がサーバコンピュータ７に受信されたとき、サーバ７は、Ｗｅｂページ提供手段３４によって識別番号及び保険番号と関連するサーバデータを組み込んだＷｅｂページ情報を生成するように構成してもよい。
【０１０２】
また、データ要求信号が、ＩＣタグ４の識別番号及び診察カード保有者の保険番号である場合は、先に入力用Ｗｅｂページを要求し、入力用ＷｅｂページにＩＣタグ４の識別番号及び診察カード保有者の保険番号を入力して送信するように構成してもよい。
【０１０３】
さらに、前記携帯電話機６を用いる場合と同様に、前記コンピュータ１１によっても、ＩＣ診察カード３に設けられたＩＣタグ４内のＩＣタグ内データを受信することが可能であり、前記サーバコンピュータ７からのデータを受信することができるが、その作用効果は、携帯電話機６を用いる場合と同様である。
【実施例３】
【０１０４】
以下、図５から図８までを参照しつつ、実施例３について説明する。
【０１０５】
図５は、健康管理システムうちの本人認証に用いる機器構成を示す斜視図である。ＩＣカード端末１１０は、パーソナルコンピュータ１２０の周辺機器としてＵＳＢケーブル１１９により接続される。パーソナルコンピュータ１２０は、例えば米国マイクロソフト社のウィンドウズ（登録商標）ＸＰを基本ソフトとして構成されるものであり、無線ＬＡＮモデム１２２により外部機器との間でネットワーク接続されてデータベースなどを参照できる。表示画面１２１は、パーソナルコンピュータ１２０の処理内容を表示する表示装置（ＣＲＴ装置、液晶ディスプレイなど）の表示画面である。表示画面１２１にタッチパネルを積層配置して、操作者がタッチする位置情報をパーソナルコンピュータ１２０に入力することにより、キーボードを用いずに、パーソナルコンピュータ１２０の操作が可能となる。
【０１０６】
ＩＣカード端末１１０の電源は、ＡＣアダプタ１１８により供給される。ＡＣアダプタ１１８を電源コンセントにつないで、電源スイッチ１１５をＯＮにして、ＵＳＢケーブル１１９をパーソナルコンピュータ１２０につなぐと、パーソナルコンピュータ１２０がＩＣカード端末１１０を認識して機能するようになる（ドライバソフトを組み込む必要がある場合には、最初の使い始めの際にインストールして用いる）。
【０１０７】
ＩＣカード端末１１０の上面には、ＩＣタグリーダ・ライタ１１１、指紋認証センサ１１２、ＩＣカードリーダ・ライタ１１３、ファンクションスイッチ１１６、ＬＥＤ１１７が設けられる。ＩＣタグリーダ・ライタ１１１と、ＩＣカードリーダ・ライタ１１３とは、規格が異なり、通信プロトコルも違う。これら二つのリーダ・ライタは、離して設置する。両者それぞれの電波（電磁波）による通信が互いに干渉することを防ぐのみならず、操作をする人、認証を受ける本人がどちらのリーダ・ライタを用いているかを明確に認識するためでもある。
【０１０８】
指紋認証センサ１１２は、生体認証装置の一例である。手のひらの静脈パターン、虹彩パターン、網膜パターン、声紋、顔の輪郭など、他の生体認証を用いる場合には、他のセンサを設ける。ファンクションスイッチ１１６は、生体認証処理、ＩＣカード読み込み処理、ＩＣタグ読み込み処理などの機能を切り替えるために用いるスイッチである。ＬＥＤ１１７は、その点灯の仕方（常時点灯、点滅のサイクルの違い）によって、現在使われている機能の種類、その状況を示す。
【０１０９】
放熱穴１１４は、ＩＣカード端末１１０の筐体内部に収納された回路が熱をもたないように、通気するものである。また、内部に設けられたブザーの音を外部に伝える。
【０１１０】
図６は、健康管理システムのうちの本人認証に用いる機器構成を示すブロック図である。ＩＣタグを含むＩＣカード１３０は、ＭＩＦＡＲＥカードとして知られるＩＳＯ１４４４３Ａの規格で読み取りされるＩＣカードと、ｍｙ−ｄタグとして知られるＩＳＯ１５６９３の規格で読み取りされるＩＣタグとをそれぞれ独立して格納しているカードであり、例えばプラスチックの素材にて構成される。ＩＣカードとＩＣタグとが独立しているという意味は、いずれも一つの名刺大のプラスチックカードの中に収納されているが、ＩＣカードリーダ・ライタ１１３に近接させて読み書きする際には、ＩＣカードのみが通信を行い、ＩＣタグリーダ・ライタ１１１に近接させて読み書きする際には、ＩＣタグのみが通信を行うということである。
【０１１１】
ＩＣカード端末１１０の内部には、ＭＰＵ（マイクロプロセッサユニット）１２９が設けられており、ＩＣカード端末１１０の内部の各回路、すなわちＩＣタグリーダ・ライタ１１１、指紋認証センサ１１２、ＩＣカードリーダ・ライタ１１３、ファンクションスイッチ１１６、ブザー、ＬＥＤ１１７などの信号切替、入出力制御などの処理を実行する。前述したようにＩＣカード端末１１０は、パーソナルコンピュータ１２０の周辺機器として構成され、ここでは、ＵＳＢ機器として構成されており、ＵＳＢケーブル１１９にてパーソナルコンピュータと接続される。なお、ＵＳＢ機器として構成せずに、コンピュータネットワーク機器として構成して、いわゆるＬＡＮにてパーソナルコンピュータ１２０に接続するものとしてＩＣカード端末１１０を構成する他の実施例も可能である。
【実施例４】
【０１１２】
以下、図７及び図８を参照しつつ、実施例１について説明する。図７は、本考案に係る健康管理システムを地域医療連携システムに用いた場合を示す概念図である。本考案に係る健康管理システムは、健康関連のサービス提供者と需要者との間でマンツーマンで取引されるサービス提供一般に利用可能なものであるが、以下、図７及び図８においては、医業、とりわけ地域医療連携システムに応用した例を挙げて説明する。
【０１１３】
この場合においては、需要者すなわち患者が所持するＩＣカードをＩＣ診察カードと呼び、サービス提供者すなわち医療従事者が所持するＩＣカードを医療従事者ＩＣカードと呼ぶ。煩雑を避けるため、特に区別する必要のないときは単にＩＣカードと呼ぶが、前述したように本考案におけるＩＣカードは、ｍｉｆａｒｅカード（ＩＳＯ１４４４３Ａで読み書きするＩＣカード）と、ｍｙ−ｄタグ（ＩＳＯ１５６９３で読み書きするＩＣタグ）とを、一枚のプラスチックカードに併せ持つものであり、ｍｉｆａｒｅカードの記憶領域には、本人認証に必要なデータ（この例では指紋の画像データから所定の規則により抽出されたデータ）を格納しており、ｍｙ−ｄタグの記憶領域には、カード所持者の保険番号などの個人情報が格納されている。
【０１１４】
図７の地域医療連携システムは、○○大学病院と同一地域に所在するＡ病院、Ｂ病院を連携する地域医療連携ＤＢ（データベース）１４９が設けてあり、地域医療連携システムの端末１４０，１４１，１４２が専用線を介してデータセキュリティセンターとつながっており、地域内の複数の病院の医療連携を実現するシステムである。それと同時に、ＩＣ診察カード１５０が、その地域内のいずれの病院でも用いることができるシステムであるという観点から見ると、ＩＣ診察カードシステムであるといえる。
【０１１５】
また、地域医療連携システムは、健康管理システムとの連携を図ることで更なる効果を発揮する。図７においてデータセキュリティセンターは、専用線、ファイアウォールを介して健康管理システムのサーバ２４０、ＤＢ２４９と連携をとる。サーバ２４０にはデータ解析サーバ３４０が接続されている。また、サーバ２４０は、Ｗｅｂサーバ、ＤＢサーバ、メールサーバとしての機能を有していて、ファイアウォール、通信回線網（インターネット）８を介してＷｅｂクライアント１１、携帯端末６とつながる。携帯端末６はＩＣタグリーダ５を有していて、ＩＣタグ４を読み取り、その読み取った情報に基づいて関連するウェブサイトにアクセスする。
【０１１６】
健康管理システムは、サーバ７、ＤＢ１２、データ解析サーバ３４０からなるシステムであって、顧客（スポーツジムの会員、診察システムを利用する患者を含む）の健康データ、生活習慣データを顧客の意思に基づいて、時系列的に蓄積し、それを解析して生活習慣と健康との間の規則性を見出して顧客に助言を与えるシステムである。
【０１１７】
地域医療連携システムと健康管理システムとの連携をする際には、患者と医師との共通の意思に基づいて、健康管理システムのデータを医療に用いる、または医療施設での検診データを健康管理システムに用いる。その際に、個人情報の利用に対する承認の観点と、患者の不確かな医療知識を補うのにかかりつけの医師の助言がふさわしいという観点から、患者と医師との双方の本人認証に基づいてデータ入力をするのが望まれる。
【０１１８】
ＩＣ診察カード１５０を所持する患者は、その患者の住む地域内の医療機関であるＡ病院において、医療従事者と対面の上、地域医療連携システムの端末１４１を用いて、指紋認証により本人認証を行った上で、ＩＣ診察カード１５０に設けられたＩＣタグ内の個人情報にアクセスしてもらい、保険情報などの個人情報を開示して診察を受ける。Ａ病院での所見、診察結果、検査結果などは、病院内のネットワークとは独立した専用線を介してデータセキュリティセンターの地域医療連携データベース１４９に格納される。
【０１１９】
Ａ病院で診察を受けて治療方針、治療方法などを勧められた患者は、セカンドオピニオンを得たいとＢ病院に行く、とする。Ａ病院と同一の地域医療連携システムに参加しているＢ病院においては、その患者は、Ａ病院で用いたのと同じＩＣ診察カード１５０を使って、同様に本人認証を行った上で診察を受けることができる。患者と医療従事者との双方が対面の上で本人認証をしているので、Ｂ病院において、先のＡ病院の検査結果にアクセスして、それについてのセカンドオピニオンを述べることが可能となる。患者は、Ａ病院から、カルテ、レントゲン写真、血液検査結果、ＭＲＴ画像などを借り出して持ち運ぶことが不要である。また、図７における健康管理システムのＤＢ２４９に蓄積された情報を引き出したい場合も同様の手続による。
【０１２０】
Ｂ病院でセカンドオピニオンを得た患者が、さらに大学病院の診断を設けたいと欲する場合には、紹介状を電子的に発行して地域医療ＤＢ１４９に保管することができる。紹介状の発行を受けた患者は、○○大学病院に所定の時間に行って、相手の医療従事者と対面の上、ＩＣ診察カード１５０を用いて双方の本人認証をした上で、地域医療連携データベース１４９にアクセスして、紹介状、カルテ、検査結果などを参照する。また、図７における健康管理システムのＤＢ１２に蓄積された情報を引き出したい場合も同様の手続による。このようにして地域医療連携が実現される。
【０１２１】
図８は、健康管理システムのうちの本人認証に用いる機器構成の他の実施例を示す斜視図である。健康管理システムの端末１４０は図５に示すＩＣカード端末１１０とほぼ同一の構成であるが、図８においては、指紋センサ１１２の部分がへこませてあり、患者が指紋認証のために指を入れることをイメージしやすくしてある。患者が所持するＩＣ診察カード１５０と同様なカードを医療従事者も持っている。図８に示す医療従事者ＩＣカード１５１がそれである。
【０１２２】
病院において、患者と医療従事者（医師）とが、対面の上、まず患者の所持するＩＣ診察カード１５０を健康管理システムの端末１４０のＩＣカードリーダ・ライタ１１３に載せて、患者の指を指紋認証センサ１１２の上に載せる。端末１４０は、ＩＣカードリーダ・ライタ１１３により、ＩＣ診察カードのｍｉｆａｒｅカード部分の記憶領域に格納された患者の指紋データ（指紋画像から所定の規則により抽出されたデータ）を読取り、ＵＳＢケーブル１１９を介して、ＰＣ側にそのデータを送る。また、端末１４０は、指紋認証センサ１１２により患者本人の指紋を読取り、その指紋画像から所定の規則により抽出されたデータをＰＣ側に送る。ＰＣ側では、それら二つのデータを照合して、合致するか、不一致かを判定する。ＰＣの操作は医療従事者によってなされる。
【０１２３】
ＰＣの操作をする医療従事者の本人認証も、患者の目の前で実行される。すなわち、医療従事者ＩＣカード１５１をＩＣカードリーダ・ライタ１１３に載せて、医療従事者の指を指紋認証センサ１１２に載せて医療従事者の本人認証を実行する。患者、医療従事者の双方ともが本人認証をクリアできた場合にはじめて患者の個人情報、健康情報、生活習慣情報、健康管理システムによる解析結果等が開示される。
【０１２４】
開示されるべき患者の個人情報の第一段階のものは、被保険者氏名、被保険者番号、生年月日、性別、資格取得年月日、保険証の有効期限などの情報であり、それらは、ＩＣ診察カード１５０に含まれているＩＣタグ内の記憶領域に格納されている。本人認証のクリアできた後に、患者自身の手によりＩＣ診察カード１５０をＩＣタグリーダ・ライタ１１１に載せかえることで端末１４０がその個人情報を読み取ってＰＣ側に送る。
【０１２５】
開示されるべき患者の個人情報の第二段階のものは、その病院内のコンピュータシステムに保存されたその患者の電子カルテの内容、過去の検査結果、投薬履歴、通院履歴などであり、第三段階のものは、図７に示す地域医療連携ＤＢ１４９に保存された情報、そして健康管理システムに蓄積されたデータベース２４９の内容である。それらの情報を医療従事者に開示するにあたっては、目の前の患者に暗証番号を入力してもらうなどのセキュリティをかけることができる。その暗証番号の入力のためには、端末１４０，１４１，１４２などに暗証番号入力用のテンキー（数字の入力のためのキーボード）を追加することが望ましい。
【０１２６】
カードの指紋照合による個人認証は、ＩＣカード保有者であることと、ＩＣカードに格納された指紋データと本人の指紋との照合とが合致することとの二つの事象がともに肯定である場合に認証がなされたとするものである。
【０１２７】
ＩＣカードに格納された指紋データは、指紋画像そのものではなく、指紋画像から所定の規則により抽出した１６個の数値を羅列したものとする。したがって、その数値データから指紋画像を再構成することはできない。指紋認証センサは、指紋を読み取ると、所定の規則に従って、１６個の数値を抽出して指紋読取り結果とする。そして、ＰＣにおいて指紋読取り結果とＩＣ診察カード読取り結果とを照合する。ここにおいて、「所定の規則により抽出する」としたが、この「所定の規則」がどのようなものであるかは、本システムのシステム管理者のみが知ることであり、この規則を秘密として管理するセキュリティの度合いが高ければ高いほど、この指紋認証のセキュリティも高い。
【０１２８】
１３．５６ＭＨｚの周波数を利用した非接触型ＩＣカードは、ＩＳＯ１４４４３タイプＡ、ＩＳＯ１４４４３タイプＢ、ＩＳＯ１４４４３タイプＣ（ＦＥＬＩＣＡ）、ＩＳＯ１５６９３と４つに分類される。最初の三つは、人の認証用であり、いずれもプロトコルが異なり、データは暗号化されて書き込まれる。その暗号化の方式は、各システム設計者、システム管理者が秘密として管理している。また、タイプＣは、Ｅｄｙ、Ｓｕｉｃａなどで広汎に使用されているが、フォーマットが変えてあるため、それぞれの互換性はない。本考案で採用したＩＳＯ１４４４３タイプＡは、ｍｉｆａｒｅとして世界中に普及しているものである。
【０１２９】
また、ＩＳＯ１５６９３は、ＩＣタグの用途で使用され、物の識別用であり、互換性を要求されるため、タイプＡ，Ｂ，Ｃとは異なる設計思想である。暗号化は前提とされていない。書き込みのフォーマットをシステム設計者が決めて、専用ソフトを使用して初めて書き込んだデータを意味あるものとして表示できるようにシステムを組むことが可能なものである。
【０１３０】
ＩＣ診察カードのＩＣタグには、健康保険証の保険者名称、保険者番号、資格取得年月日、性別、生年月日、氏名、番号、記号、交付日、病院コード、ＩＤ番号、ＵＲＬなどの診察に関連する情報のほかに、健康管理システムに対して定期的に入力する健康や生活習慣に関するデータ項目などの情報が、システム設計者の定めたフォーマットに従って記述してある。
【０１３１】
スポーツジムの会員カードに貼付するＩＣタグには、スポーツジムの名称、会員区分、有効期限、発効日、運動メニュー、健康や生活習慣に関するデータ項目、ＵＲＬなどをシステム設計者の定めたフォーマットに従って記述してある。
【産業上の利用可能性】
【０１３２】
健康に関連する取引であって、サービス提供者と需要者との間でマンツーマンで取引されるサービス提供一般に利用可能である。
【符号の説明】
【０１３３】
１  健康管理システム
２  健康関連のサービス提供の用に供する物
３  ＩＣ診察カード
４  ＩＣタグ
５，１０  ＩＣタグ読取部
６  携帯電話機
７  サーバコンピュータ
８  通信回線網（インターネット）
９  基地局
１１  コンピュータ
１２  データベース
１１０  ＩＣカード端末
１１１  ＩＣタグリーダ・ライタ
１１２  指紋認証センサ
１１３  ＩＣカードリーダ・ライタ
１１４  放熱穴
１１５  電源スイッチ
１１６  ファンクションスイッチ
１１７  ＬＥＤ
１１８  ＡＣアダプタ
１１９  ＵＳＢケーブル
１２０  パーソナルコンピュータ
１２１  表示画面
１２２  無線ＬＡＮモデム
１２９  ＭＰＵ（マイクロプロセッサユニット）
１３０  ＩＣタグを含むＩＣカード
１４０，１４１，１４２  健康管理システムの端末
１４９  地域医療連携ＤＢ
１５０  ＩＣ診察カード
１５１  医療従事者ＩＣカード
２４９  健康管理システムのＤＢ
【図１】
0003150066.tif 000003
【図２】
0003150066.tif 000004
【図３】
0003150066.tif 000005
【図４】
0003150066.tif 000006
【図５】
0003150066.tif 000007
【図６】
0003150066.tif 000008
【図７】
0003150066.tif 000009
【図８】
0003150066.tif 000010
【手続補正書】
【提出日】平成21年3月2日(2009.3.2)
【手続補正１】
【補正対象書類名】実用新案登録請求の範囲
【補正対象項目名】請求項１
【補正方法】変更
【補正の内容】
【請求項１】
顧客の健康及び生活習慣に関するデータを受け取ってそれを解析した結果を該顧客に返す健康管理システムであって、
前記顧客が携帯端末で入力するのを受け取る受信手段と、
該受信手段にて前記顧客が入力したデータを蓄積するデータベースと、
該データベースに蓄積されたデータが所定の長さの期間に達したときに解析して健康と生活習慣との間の規則性を見出す解析手段と、
該解析手段の解析結果を前記顧客に返す送信手段と、
前記顧客がデータ入力して送るのを支援する情報を含むＩＣタグと、
該ＩＣタグに格納された情報を読み取るＩＣタグリーダと、
該ＩＣタグリーダの読み取った情報に基づいて前記顧客が情報を送信するのに用いる携帯端末と
からなり、
前記顧客は携帯端末を用いて前記ＩＣタグに格納された情報を読み取り、それに基づいて自己の健康及び生活習慣に関するデータを送信することを特徴とする健康管理システム。
【手続補正２】
【補正対象書類名】実用新案登録請求の範囲
【補正対象項目名】請求項４
【補正方法】変更
【補正の内容】
【請求項４】
顧客の健康及び生活習慣に関するデータを受け取ってそれを解析した結果を該顧客に返す健康管理システムであって、
前記顧客が携帯端末で入力するのを受け取る受信手段と、
該受信手段にて前記顧客が入力したデータを蓄積するデータベースと、
該データベースに蓄積されたデータが所定の長さの期間に達したときに解析して健康と生活習慣との間の規則性を見出す解析手段と、
該解析手段の解析結果を前記顧客に返す送信手段と、
ＩＣタグを含み、前記顧客の個人情報及び生体認証データを格納するＩＣ顧客カードと、
ＩＣタグを含み、前記健康管理システムの運用に携わるサービス提供者の個人情報及び生体認証データを格納するサービス提供者ＩＣカードと、
前記ＩＣタグを読み取るＩＣタグリーダ、前記ＩＣ顧客カード・サービス提供者ＩＣカードを読み取るＩＣカードリーダ及び生体認証装置を備えたＩＣカード端末と、
前記ＩＣカード端末を周辺機器として接続する前記サービス提供者用パーソナルコンピュータと
からなり、
サービス提供を必要とする際に、前記ＩＣ顧客カードを所持する顧客の生体認証処理と、前記サービス提供者ＩＣカードを所持するサービス提供者の生体認証処理とを実行し、これら二種類の生体認証処理がいずれも肯定結果であることを条件に、サービス提供者に対してサービスを受ける顧客の個人情報を開示することを特徴とする健康管理システム。
【手続補正３】
【補正対象書類名】図面
【補正対象項目名】図６
【補正方法】変更
【補正の内容】
【図６】
0003150066.tif 000011
【手続補正４】
【補正対象書類名】明細書
【補正対象項目名】０１１０
【補正方法】変更
【補正の内容】
【０１１０】
図６は、健康管理システムのうちの本人認証に用いる機器構成を示すブロック図である。ＩＣタグを含むＩＣカード１３０は、ＭＩＦＡＲＥ（登録商標）カードとして知られるＩＳＯ１４４４３Ａの規格で読み取りされるＩＣカードと、ｍｙ−ｄ（登録商標）タグとして知られるＩＳＯ１５６９３の規格で読み取りされるＩＣタグとをそれぞれ独立して格納しているカードであり、例えばプラスチックの素材にて構成される。ＩＣカードとＩＣタグとが独立しているという意味は、いずれも一つの名刺大のプラスチックカードの中に収納されているが、ＩＣカードリーダ・ライタ１１３に近接させて読み書きする際には、ＩＣカードのみが通信を行い、ＩＣタグリーダ・ライタ１１１に近接させて読み書きする際には、ＩＣタグのみが通信を行うということである。
【手続補正５】
【補正対象書類名】明細書
【補正対象項目名】０１１３
【補正方法】変更
【補正の内容】
【０１１３】
この場合においては、需要者すなわち患者が所持するＩＣカードをＩＣ診察カードと呼び、サービス提供者すなわち医療従事者が所持するＩＣカードを医療従事者ＩＣカードと呼ぶ。煩雑を避けるため、特に区別する必要のないときは単にＩＣカードと呼ぶが、前述したように本考案におけるＩＣカードは、ｍｉｆａｒｅ（登録商標）カード（ＩＳＯ１４４４３Ａで読み書きするＩＣカード）と、ｍｙ−ｄ（登録商標）タグ（ＩＳＯ１５６９３で読み書きするＩＣタグ）とを、一枚のプラスチックカードに併せ持つものであり、ｍｉｆａｒｅ（登録商標）カードの記憶領域には、本人認証に必要なデータ（この例では指紋の画像データから所定の規則により抽出されたデータ）を格納しており、ｍｙ−ｄ（登録商標）タグの記憶領域には、カード所持者の保険番号などの個人情報が格納されている。
【手続補正６】
【補正対象書類名】明細書
【補正対象項目名】０１２２
【補正方法】変更
【補正の内容】
【０１２２】
病院において、患者と医療従事者（医師）とが、対面の上、まず患者の所持するＩＣ診察カード１５０を健康管理システムの端末１４０のＩＣカードリーダ・ライタ１１３に載せて、患者の指を指紋認証センサ１１２の上に載せる。端末１４０は、ＩＣカードリーダ・ライタ１１３により、ＩＣ診察カードのｍｉｆａｒｅ（登録商標）カード部分の記憶領域に格納された患者の指紋データ（指紋画像から所定の規則により抽出されたデータ）を読取り、ＵＳＢケーブル１１９を介して、ＰＣ側にそのデータを送る。また、端末１４０は、指紋認証センサ１１２により患者本人の指紋を読取り、その指紋画像から所定の規則により抽出されたデータをＰＣ側に送る。ＰＣ側では、それら二つのデータを照合して、合致するか、不一致かを判定する。ＰＣの操作は医療従事者によってなされる。
【手続補正７】
【補正対象書類名】明細書
【補正対象項目名】０１２８
【補正方法】変更
【補正の内容】
【０１２８】
１３．５６ＭＨｚの周波数を利用した非接触型ＩＣカードは、ＩＳＯ１４４４３タイプＡ、ＩＳＯ１４４４３タイプＢ、ＩＳＯ１４４４３タイプＣ（ＦＥＬＩＣＡ（登録商標））、ＩＳＯ１５６９３と４つに分類される。最初の三つは、人の認証用であり、いずれもプロトコルが異なり、データは暗号化されて書き込まれる。その暗号化の方式は、各システム設計者、システム管理者が秘密として管理している。また、タイプＣは、Ｅｄｙ（登録商標）、Ｓｕｉｃａ（登録商標）などで広汎に使用されているが、フォーマットが変えてあるため、それぞれの互換性はない。本考案で採用したＩＳＯ１４４４３タイプＡは、ｍｉｆａｒｅ（登録商標）として世界中に普及しているものである。